【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
無線通信システムにおける受信端の動作方法であって、
送信端から前記送信端のアナログビーム（ｂｅａｍ）に関するサブセット（ｓｕｂｓｅｔ）情報を受信する過程と、
前記サブセット情報に基づいて決定された、前記受信端へのデータ信号の送信に使用される送信ビームの組み合わせに関する情報を送信する過程を含み、
前記サブセット情報は、前記アナログビームが分類される少なくとも１つのサブセット及び前記少なくとも１つのサブセットを分類するために使用される情報の中の１つを含み、
前記少なくとも１つのサブセットの各アナログビームは、他の１つとしきい値以下の相関度を有する方法。
【請求項２】
前記送信ビームの組み合わせは、同じサブセットに属し、空間多重化（ｓｐａｔｉａｌ  ｍｕｌｔｉｐｌｅｘｉｎｇ）される請求項１に記載の方法。
【請求項３】
前記送信ビームの組み合わせを決定する過程は、
各サブセットで最も優れたチャネル品質を提供する、多重化次数（ｏｒｄｅｒ）に対応する個数のアナログビームを識別する過程と、
サブセット別に識別されたアナログビームの個数のチャネル品質合計（ｓｕｍ）を算出する過程と、
各サブセット内の、最大のチャネル品質合計を有するアナログビームを前記送信ビームの組み合わせとして決定する過程と、を含む請求項２に記載の方法。
【請求項４】
前記送信ビームの組み合わせは、空間多重化（ｓｐａｔｉａｌ  ｍｕｌｔｉｐｌｅｘｉｎｇ）のためのビーム組み合わせとして、全ての送信ビームのうち、最大のチャネル品質値を提供し、そして、それぞれがしきい値未満の相関度を有する多重化次数と同じ個数の送信ビームを含む請求項１に記載の方法。
【請求項５】
前記送信ビームの組み合わせを決定する過程は、
前記送信端の全てのアナログビームのうち最大のチャネル品質を有する第１ビームを選択する過程と、
前記チャネル品質が大きい順に、前記第１ビームを残りのビームのそれぞれと比較する過程と、
前記第１ビームと前記残りのビームの１つとの間の相関度がしきい値以上であれば、該当ビームを前記送信ビームの組み合わせから除く過程と、
前記相関度がしきい値未満であれば、該当ビームを前記送信ビームの組み合わせに含む過程と、を含む請求項４に記載の方法。
【請求項６】
前記送信ビームの組み合わせは、ダイバーシティ（ｄｉｖｅｒｓｉｔｙ）のために異なるサブセットに属する請求項１に記載の方法。
【請求項７】
前記送信ビームの組み合わせを決定する過程は、
前記送信端の全てのアナログビームのうち最大のチャネル品質を有する第１ビームを選択する過程と、
前記チャネル品質が大きい順に、前記第１ビームを残りのアナログビームの各１つと比較する過程と、
１つの残りのアナログビームが前記第１ビームと同じサブセットに属する場合、前記１つの残りのアナログビームを前記送信ビームの組み合わせから除く過程と、
前記１つの残りのアナログビームが前記第１ビームと同じサブセットに属しない場合、前記１つのアナログビームを前記送信ビームの組み合わせに含む過程と、を含む請求項６に記載の方法。
【請求項８】
前記送信ビームの組み合わせは、ダイバーシティ（ｄｉｖｅｒｓｉｔｙ）のためのビーム組み合わせとして、サブセットの送信ビーム又は全ての送信ビームのうち最大のチャネル品質値を有するダイバーシティ次数と同じ個数の送信ビームを含む請求項１に記載の方法。
【請求項９】
前記サブセット情報は、前記送信端のアナログビーム係数を構成する大きさ及び位相値ベクター（ｖｅｃｔｏｒ）セット、前記送信端のアナログビーム係数を示す操舵角（ｓｔｅｅｒｉｎｇ  ａｎｇｌｅ）値セット、前記送信端の分類されたサブセットを示すＭＩＭＯモード別ビットマップ（ｂｉｔｍａｐ）の中の少なくとも１つを含む請求項１に記載の方法。
【請求項１０】
サブセットの中の２つの送信ビームの全てのペア（ｐａｉｒ）の相関度が前記しきい値以下になるように送信ビームを分類するサブセットを決定する過程をさらに含む請求項９に記載の方法。
【請求項１１】
前記少なくとも１つのサブセットは、ＭＩＭＯ（Ｍｕｌｔｉｐｌｅ  Ｉｎｐｕｔ  Ｍｕｌｔｉｐｌｅ  Ｏｕｔｐｕｔ）モードに応じて互いに異なるように決定される請求項１に記載の方法。
【請求項１２】
前記サブセット情報は、周期的に放送されるシステム情報として受信されたり、初期アクセス手順中に受信されたり、前記初期アクセス手順後に受信されたり、又は、ハンドオーバ手順中に交換されるシステム情報として受信される請求項１に記載の方法。
【請求項１３】
前記送信端によって送信される少なくとも１つの参照信号を用いて前記送信ビーム別チャネル品質を測定する過程をさらに含む請求項１に記載の方法。
【請求項１４】
前記送信ビームの組み合わせによる有効チャネル（ｅｆｆｅｃｔｉｖｅ  ｃｈａｎｎｅｌ）を算出する過程と、
前記有効チャネルに基づいてデジタルビームフォーミングのためのプリコーディング（ｐｒｅｃｏｄｉｎｇ）行列を選択する過程と、
前記送信ビームの組み合わせ及び前記選択されたプリコーディング行列を前記送信端に送信する過程と、
前記送信端で前記プリコーディング行列によってデジタルビームフォーミングされ、前記送信ビームの組み合わせによってアナログビームフォーミングされたデータ信号を受信する過程と、をさらに含む請求項１に記載の方法。
【請求項１５】
無線通信システムにおける送信端の動作方法であって、
前記送信端のアナログ送信ビーム（ｂｅａｍ）に関するサブセット（ｓｕｂｓｅｔ）情報を送信する過程と、
前記サブセット情報に基づいて決定された送信ビームの組み合わせに関する情報を受信端から受信する過程と、
前記送信ビームの組み合わせを用いて、前記受信端へのデータ信号の送信に対してアナログビームフォーミングを行う過程と、を含み、
前記サブセット情報は、前記送信端のアナログ送信ビームを少なくとも１つのサブセットに分類した結果を示す情報及び前記サブセットを決定するために必要な情報の中の１つを含み、
前記少なくとも１つのサブセットの各アナログビームは、他の１つとしきい値以下の相関度を有する方法。
【請求項１６】
前記送信ビームの組み合わせは、同じサブセットに属し、空間多重化（ｓｐａｔｉａｌ  ｍｕｌｔｉｐｌｅｘｉｎｇ）される請求項１５に記載の方法。
【請求項１７】
前記送信ビームの組み合わせは、ダイバーシティ（ｄｉｖｅｒｓｉｔｙ）のために異なるサブセットに属する請求項１５に記載の方法。
【請求項１８】
前記サブセット情報は、前記送信端のアナログビーム係数を構成する大きさ及び位相値ベクター（ｖｅｃｔｏｒ）セット、前記送信端のアナログビーム係数を示す操舵角（ｓｔｅｅｒｉｎｇ  ａｎｇｌｅ）値セット、前記送信端の分類されたサブセットを示すＭＩＭＯモード別ビットマップ（ｂｉｔｍａｐ）の中の少なくとも１つを含む請求項１５に記載の方法。
【請求項１９】
前記サブセット情報は、ＭＩＭＯ（Ｍｕｌｔｉｐｌｅ  Ｉｎｐｕｔ  Ｍｕｌｔｉｐｌｅ  Ｏｕｔｐｕｔ）モードに応じて異なるサブセットを含む請求項１５に記載の方法。
【請求項２０】
前記サブセット情報は、周期的に放送されるシステム情報として受信されたり、初期アクセス手順中に受信されたり、前記初期アクセス手順後に受信されたり、又は、ハンドオーバ手順中に交換されるシステム情報として受信される請求項１５に記載の方法。
【請求項２１】
無線通信システムにおける受信端装置であって、
送信端から前記送信端のアナログビーム（ｂｅａｍ）に関するサブセット（ｓｕｂｓｅｔ）情報を受信し、前記サブセット情報に基づいて決定された、前記受信端へのデータ信号の送信に使用される送信ビームの組み合わせに関する情報を送信する送受信部を含み、
前記サブセット情報は、前記アナログ送信ビームが分類される少なくとも１つのサブセット及び前記サブセットを分類するために必要な情報の中の１つを含み、
前記少なくとも１つのサブセットの各アナログビームは、他の１つとしきい値以下の相関度を有する装置。
【請求項２２】
前記送信ビームの組み合わせは、同じサブセットに属し、空間多重化（ｓｐａｔｉａｌ  ｍｕｌｔｉｐｌｅｘｉｎｇ）される請求項２１に記載の装置。
【請求項２３】
各サブセットで最も優れたチャネル品質を提供する、多重化次数（ｏｒｄｅｒ）に対応する個数のビームを識別し、サブセット別に識別されたビームのチャネル品質合計（ｓｕｍ）を算出し、最大のチャネル品質合計を有するサブセットで識別されたビームを前記送信ビームの組み合わせとして決定する制御部をさらに含む請求項２２に記載の装置。
【請求項２４】
前記送信ビームの組み合わせは、空間多重化（ｓｐａｔｉａｌ  ｍｕｌｔｉｐｌｅｘｉｎｇ）のためのビーム組み合わせとして、全ての送信ビームのうち最大のチャネル品質値を提供し、そして、しきい値未満の相関度を有する多重化次数と同じ個数の送信ビームを含む請求項２１に記載の装置。
【請求項２５】
前記送信端の全てのアナログビームのうち最大のチャネル品質を有する第１ビームを選択し、前記チャネル品質が大きい順に残りのビームを順に比較し、比較の結果、前記第１ビームとの相関度がしきい値以上であれば、該当ビームを前記送信ビームの組み合わせから除き、前記比較の結果、前記第１ビームとの相関度がしきい値未満であれば、該当ビームを前記送信ビームの組み合わせに含む制御部をさらに含む請求項２４に記載の装置。
【請求項２６】
前記送信ビームの組み合わせは、ダイバーシティ（ｄｉｖｅｒｓｉｔｙ）のために異なるサブセットに属する請求項２１に記載の装置。
【請求項２７】
前記送信端の全てのアナログビームのうち最大のチャネル品質を提供する第１ビームを選択し、前記チャネル品質が大きい順に残りのビームを順に比較し、比較の結果、前記第１ビームと同じサブセットに属する場合は、該当ビームを前記送信ビームの組み合わせから除き、前記比較の結果、前記第１ビームと同じサブセットに属しない場合は、該当ビームを前記送信ビームの組み合わせに含む制御部をさらに含む請求項２６に記載の装置。
【請求項２８】
前記送信ビームの組み合わせは、ダイバーシティ（ｄｉｖｅｒｓｉｔｙ）のためのビーム組み合わせとして、特定のサブセットの送信ビーム又は全ての送信ビームのうち最大のチャネル品質値を有するダイバーシティ次数と同じ個数の送信ビームを含む請求項２１に記載の装置。
【請求項２９】
前記サブセット情報は、前記送信端のアナログビーム係数を構成する大きさ及び位相値ベクター（ｖｅｃｔｏｒ）セット、前記送信端のアナログビーム係数を示す操舵角（ｓｔｅｅｒｉｎｇ  ａｎｇｌｅ）値セット、前記送信端のサブセット分類結果を示すＭＩＭＯモード別ビットマップ（ｂｉｔｍａｐ）の中の少なくとも１つを含む請求項２１に記載の装置。
【請求項３０】
サブセットの中の２つの送信ビームの全てのペア（ｐａｉｒ）の相関度が前記しきい値以下になるように前記送信端が送信ビームに対するサブセット分類を決定する制御部をさらに含む請求項２９に記載の装置。
【請求項３１】
前記少なくとも１つのサブセットは、ＭＩＭＯ（Ｍｕｌｔｉｐｌｅ  Ｉｎｐｕｔ  Ｍｕｌｔｉｐｌｅ  Ｏｕｔｐｕｔ）モードに応じて互いに異なるように決定される請求項２１に記載の装置。
【請求項３２】
前記サブセット情報は、周期的に放送されるシステム情報として受信されたり、初期アクセス手順中に受信されたり、前記初期アクセス手順後に受信されたり、又は、ハンドオーバ手順中に交換されるシステム情報として受信される請求項２１に記載の装置。
【請求項３３】
前記送信端によって送信される少なくとも１つの参照信号を用いて前記送信ビーム別チャネル品質を測定する制御部をさらに含む請求項２１に記載の装置。
【請求項３４】
前記送信ビームの組み合わせによる有効チャネル（ｅｆｆｅｃｔｉｖｅ  ｃｈａｎｎｅｌ）を算出し、前記有効チャネルに基づいてデジタルビームフォーミングのためのプリコーディング（ｐｒｅｃｏｄｉｎｇ）行列を選択する制御部をさらに含み、
前記送受信部は、前記送信ビームの組み合わせ及び前記プリコーディング行列の選択結果を前記送信端に送信し、前記送信端で前記プリコーディング行列によってデジタルビームフォーミングされ、前記送信ビームの組み合わせによってアナログビームフォーミングされたデータ信号を受信する請求項２１に記載の装置。
【請求項３５】
無線通信システムにおける送信端装置であって、
前記送信端のアナログビーム（ｂｅａｍ）に関するサブセット（ｓｕｂｓｅｔ）情報を送信し、前記サブセット情報に基づいて決定された送信ビームの組み合わせに関する情報を受信端から受信し、前記送信ビームの組み合わせを用いて、前記受信端からのデータ信号の送信に対してアナログビームフォーミングを行う送受信部を含み、
前記サブセット情報は、前記送信端のアナログビームを少なくとも１つのサブセットに分類した結果を示す情報及び前記サブセットを決定するために必要な情報の中の１つを含み、
前記少なくとも１つのサブセットの各アナログビームは、他の１つとしきい値以下の相関度を有する装置。
【請求項３６】
前記送信ビームの組み合わせは、同じサブセットに属し、空間多重化（ｓｐａｔｉａｌ  ｍｕｌｔｉｐｌｅｘｉｎｇ）される請求項３５に記載の装置。
【請求項３７】
前記送信ビームの組み合わせは、ダイバーシティ（ｄｉｖｅｒｓｉｔｙ）のために異なるサブセットに属する請求項３５に記載の装置。
【請求項３８】
前記サブセット情報は、前記送信端のアナログビーム係数を構成する大きさ及び位相値ベクター（ｖｅｃｔｏｒ）セット、前記送信端のアナログビーム係数を示す操舵角（ｓｔｅｅｒｉｎｇ  ａｎｇｌｅ）値セット、前記送信端のサブセット分類結果を示すＭＩＭＯモード別ビットマップ（ｂｉｔｍａｐ）の中の少なくとも１つを含む請求項３５に記載の装置。
【請求項３９】
前記サブセット情報は、ＭＩＭＯ（Ｍｕｌｔｉｐｌｅ  Ｉｎｐｕｔ  Ｍｕｌｔｉｐｌｅ  Ｏｕｔｐｕｔ）モードに応じて互いに異なるサブセット分類結果を含む請求項３５に記載の装置。
【請求項４０】
前記サブセット情報は、周期的に放送されるシステム情報として受信されたり、初期アクセス手順中に受信されたり、前記初期アクセス手順後に受信されたり、又は、ハンドオーバ手順中に交換されるシステム情報として受信される請求項３５に記載の装置。